(57)【特許請求の範囲】
【請求項１】
上開閉蓋に設けられたハンドルベースと、
このハンドルベースに回動可能に設けられ、その下回転位置でチェストフリーザ本体に設けられた嵌合部に嵌合し前記上開閉蓋を閉状態とするコ字型ハンドルと、
このコ字型ハンドルの一方の脚部に設けられた施錠部と、
このコ字型ハンドルの他方の脚部に設けられた第１南京錠取り付け用孔と、
前記他方の脚部に対応する前記上開閉蓋の前記ハンドルベースから下方に延び、前記上開閉蓋が閉状態となった時に前記第１南京錠取り付け用孔に対応した位置に第２南京錠取り付け用孔を設けたコ字型ハンドル回転禁止板部とを備えることを特徴とするチェストタイプの冷却貯蔵庫。
【発明の詳細な説明】
【技術分野】
【０００１】
本発明は、一般的にはチェストフリーザ・超低温フリーザ等と呼ばれるチェストタイプの冷却貯蔵庫の施錠に関するものである。
【背景技術】
【０００２】
チェストフリーザは、一般的な冷却貯蔵庫である。（特許文献１参照）また、冷却貯蔵庫において、施錠することもよく知られている。（特許文献２参照）
【特許文献１】実開昭５９−１１０８８４号公報
【特許文献２】特開２００５−１８００４５号公報
【発明の開示】
【発明が解決しようとする課題】
【０００３】
本発明は、既に施錠機構が付いている超低温フリーザ等において、更に、安全性を高めるために、施錠機構を追加要望するユーザーのための発明である。
【課題を解決するための手段】
【０００４】
本発明は、上開閉蓋２に設けられたハンドルベース１７・１８と、このハンドルベースに回動可能に設けられ、その下回転位置でチェストフリーザ本体７に設けられた嵌合部１１に嵌合し前記上開閉蓋２を閉状態とするコ字型ハンドル３と、このコ字型ハンドル３の一方の脚部３ａに設けられた施錠部８と、このコ字型ハンドル３の他方の脚部３ｂに設けられた第１南京錠取り付け用孔９と、前記他方の脚部３ｂに対応する前記上開閉蓋２の前記ハンドルベース１１から下方に延び、前記上開閉蓋２が閉状態となった時に前記第１南京錠取り付け用孔９に対応した位置に第２南京錠取り付け用孔１９を設けたコ字型ハンドル回転禁止板部１７ｂとを備えることを特徴とする。
【発明の効果】
【０００５】
本発明のチェストタイプの冷却貯蔵庫によれば、簡単な構造で施錠機構を追加することが出来る。
【発明を実施するための最良の形態】
【０００６】
本発明は、上開閉蓋２に設けられたハンドルベースと、このハンドルベースに回動可能に設けられ、その下回転位置でチェストフリーザ本体７に設けられた嵌合部に嵌合し前記上開閉蓋２を閉状態とするコ字型ハンドル３と、このコ字型ハンドル３の一方の脚部３ａに設けられた施錠部８と、このコ字型ハンドル３の他方の脚部３ｂに設けられた第１南京錠取り付け用孔９と、前記他方の脚部３ｂに対応する前記上開閉蓋２の前記ハンドルベースから下方に延び、前記上開閉蓋２が閉状態となった時に前記第１南京錠取り付け用孔９に対応した位置に第２南京錠取り付け用孔１９を設けたコ字型ハンドル回転禁止板部１７ｂとを備えることを特徴とする。
【実施例１】
【０００７】
図面を参照しつつ、本発明を採用したチェストタイプの超低温フリーザを説明する。図１は、超低温フリーザの重要部の概略図である。図２はこの実施例１の斜視図である。図３は、コ字型ハンドル部分の斜視図であり、南京錠をつけていない図とつけている図である。図４は上開閉扉を閉じる直前の要部斜視図である。図５はコ字型ハンドルの取り付けを説明する図である。図６、図７はコ字型ハンドルの断面図である。図８はコ字型ハンドルの組み立てを説明する図である。
【０００８】
図１において、１は超低温フリーザである。２はこの超低温フリーザの上開閉蓋である。３は、この上開閉蓋２に取り付けられたコ字型のハンドルである。このハンドル３は、このハンドル３によって隠れた部分に設けられたハンドルベースに回動可能に取り付けられている。このハンドル３は、その下回転位置（図１の状態）でフリーザ本体７に設けられた嵌合部に嵌合し上開閉蓋２を閉状態とする。なお、この嵌合部もハンドル３により隠れている。
【０００９】
８は、このハンドル３の一方の脚部３ａに設けられた施錠部であり、ここに鍵を差し込んで回すことにより、このハンドル３の回動がロックされる。
【００１０】
９は、このハンドル３の他方の脚部３ｂに設けられた南京錠取り付け用孔である。１０は南京錠である。この南京錠１０は、ハンドル３の孔９と、ハンドルベース側に設けた孔（図示せず）とを施錠するものである。
【００１１】
ハンドルベース側に設けた孔とは、脚部３ｂに対応する上開閉蓋２の前記ハンドルベースからコ字型ハンドル回転禁止板部を下方に延ばす。そして、コ字型ハンドル回転禁止板部において、上開閉蓋２が閉状態となった時に南京錠取り付け用孔９に対応した位置に第２の南京錠取り付け用孔を設ける。このコ字型ハンドル回転禁止板部もハンドル３により隠れている。
【００１２】
このように、本願発明では、上開閉蓋２の周辺への改造をあまり行っていない。このため、上開閉蓋２の周辺対応する本体７内部に配設される凍結防止用冷媒配管を傷つけることなく、施錠機構を追加できる。
【００１３】
図２を参照しつつ、再度、説明する。１は超低温フリーザである。２はこの超低温フリーザの上開閉蓋である。３は、この上開閉蓋２に取り付けられたコ字型のハンドルである。このハンドル３は、このハンドル３によって隠れた部分に設けられたハンドルベースに回動可能に取り付けられている。このハンドル３は、その下回転位置でフリーザ本体７に設けられた嵌合部１１に嵌合し上開閉蓋２を閉状態とする。なお、上開閉蓋２が閉じたときには、この嵌合部１１もハンドル３により隠される。
【００１４】
８は、このハンドル３の一方の脚部３ａに設けられた施錠部であり、ここに鍵を差し込んで回すことにより、このハンドル３の回動がロックされる。
【００１５】
９は、このハンドル３の他方の脚部３ｂに設けられた南京錠取り付け用孔である。  
【００１６】
図３はコ字型のハンドルの部品図である。１２は施錠部用の孔である。１３はハンドル３用の回転軸挿入用孔である。
【００１７】
図４において、嵌合部１１は施錠部用の係合孔１１ａを備えている。
【００１８】
図５において、ハンドル３は、このハンドル３によって隠れた部分に設けられたハンドルベース（１７、１8）に回動可能に取り付けられている。これは、回転軸１４・１６を中心にハンドル３は回動可能となる。ハンドルベース１７の孔１７ｂはハンドルの回転中心用の孔である。
【００１９】
このハンドル３は、その下回転位置でフリーザ本体７に設けられた嵌合部１１に嵌合し上開閉蓋２の閉状態を保持する。
【００２０】
ハンドル３には、前述したように、施錠部８、南京錠取り付け用孔９を設けている。南京錠は、ハンドル３の孔９と、ハンドルベース側に設けた孔１９とを施錠するものである。
【００２１】
ハンドルベース側に設けた孔１９とは、脚部３ｂに対応する上開閉蓋２の前記ハンドルベース１７からコ字型ハンドル回転禁止板部１７ａを下方に延ばす。そして、コ字型ハンドル回転禁止板部１７ａにおいて、上開閉蓋２が閉状態となった時に南京錠取り付け用孔９に対応した位置に第２の南京錠取り付け用孔１９を設ける。このコ字型ハンドル回転禁止板部１７ａもハンドル３により隠れている。
【００２２】
図６、図７において、ハンドルベース１８の回転軸１６を中心に回転可能にハンドル３は取り付けられ、バネ２０により付勢されている。嵌合部１１に嵌合ロールバーが嵌合することにより、ハンドル３は閉状態を保たれる。そして、施錠部８に鍵を差し込んで回すことにより、ロック部２２の先端が係合孔１１ａに挿入されることにより、ロックが完了する。
【００２３】
図８は組み立て説明図である。
【図面の簡単な説明】
【００２４】
【図１】本発明をチェスト型のフリーザーに採用した実施例１の要部の概略図である。
【図２】この実施例１の斜視図である。
【図３】この実施例１のコ字型ハンドル部分の斜視図である。
【図４】この実施例１の上開閉扉を閉じる直前の要部斜視図である。
【図５】この実施例１のコ字型ハンドルの取り付けを説明する図である。
【図６】この実施例１のコ字型ハンドルの断面図である。
【図７】この実施例１のコ字型ハンドルの断面図である。
【図８】この実施例１のコ字型ハンドルの組み立てを説明する図である。
【符号の説明】
【００２５】
１  超低温フリーザー
２  上開閉蓋
３  コ字型ハンドル
８  施錠機構（第１の施錠機構）
９  南京錠取り付け用孔（第１南京錠取り付け用孔、第２の施錠機構）
）
【図１】
0005254111.tif 000002
【図２】
0005254111.tif 000003
【図３】
0005254111.tif 000004
【図４】
0005254111.tif 000005
【図５】
0005254111.tif 000006
【図６】
0005254111.tif 000007
【図７】
0005254111.tif 000008
【図８】
0005254111.tif 000009